(57)【要約】      （修正有）【課題】電子書籍のアクセス権を考慮した選書システムを提供する。【解決手段】選書システム４０は、複数の電子書籍に関する情報を記憶する電子書籍情報記憶部１００と、複数の電子書籍の少なくとも一部の電子書籍の電子書籍情報を、電子図書館システムの選書担当者に提供する電子書籍情報提供部１２５と、少なくとも一部の電子書籍の中から選書担当者によって選択された電子書籍を、電子図書館システムの利用者に対して貸出すライセンス購入受付部１３０と、購入要求に応じて、同時貸出数が所定数であり、所定期間又は所定回数だけ選択された電子書籍を貸出し可能なライセンスを電子図書館システムに対して発行するライセンス発行部１３５と、ライセンスが発行された電子書籍のライセンスに関する情報を記憶するライセンス記憶部１０５と、を備える。【選択図】図１
2016181046.tif 000002
【特許請求の範囲】
【請求項１】
複数の電子書籍に関する情報である電子書籍情報を記憶する電子書籍情報記憶部と、
前記電子書籍情報記憶部を参照し、前記複数の電子書籍の少なくとも一部の電子書籍の電子書籍情報を、電子図書館システムの選書担当者に提供する電子書籍情報提供部と、
前記少なくとも一部の電子書籍の中から前記選書担当者によって選択された電子書籍を、前記電子図書館システムの利用者に対して貸出すためのライセンスの購入要求を受け付けるライセンス購入受付部と、
前記購入要求に応じて、同時貸出数が所定数であり、所定期間又は所定回数だけ前記選択された電子書籍を貸出し可能なライセンスである第１の形態のライセンスを前記電子図書館システムに対して発行するライセンス発行部と、
前記ライセンスが発行された前記電子書籍の前記ライセンスに関する情報であるライセンス情報を記憶するライセンス記憶部と、
を備える選書システム。
【請求項２】
請求項１に記載の選書システムであって、
前記電子書籍の前記ライセンスを更新するために、前記第１の形態のライセンス、又は、利用者に貸出すたびに課金されるライセンスである第２の形態のライセンスの選択を受け付けるライセンス更新受付部と、
前記第１及び第２の形態のライセンスのうち、前記選書担当者によって選択されたライセンス形態で、前記電子書籍の前記ライセンスを更新するライセンス更新部と、
をさらに備える選書システム。
【請求項３】
請求項２に記載の選書システムであって、
前記電子書籍情報記憶部及び前記ライセンス記憶部を参照し、前記第１の形態のライセンスが発行されている電子書籍のうち、前記所定期間又は前記所定回数の残りが基準値より小さい電子書籍の電子書籍情報を、前記選書担当者に提供する更新情報提供部をさらに備える選書システム。
【請求項４】
請求項３に記載の選書システムであって、
前記更新情報提供部は、前記基準値を前記選書担当者から受け付け可能である、
選書システム。
【請求項５】
前記３又は４に記載の選書システムであって、
前記電子図書館システムにおける電子書籍の貸出実績を記憶する貸出実績記憶部をさらに備え、
前記更新情報提供部は、前記貸出実績記憶部を参照し、前記所定期間又は前記所定回数の残りが前記基準値より小さい前記電子書籍の貸出実績に関する情報を、前記選書担当者に提供する、
選書システム。
【請求項６】
前記３〜５の何れか一項目に記載の選書システムであって、
前記電子図書館システムにおける電子書籍の予約情報を記憶する予約情報記憶部をさらに備え、
前記更新情報提供部は、前記予約情報記憶部を参照し、前記所定期間又は前記所定回数の残りが前記基準値より小さい前記電子書籍の予約に関する情報を、前記選書担当者に提供する、
選書システム。
【請求項７】
請求項３〜６の何れか一項に記載の選書システムであって、
複数の電子図書館システムに対する電子書籍のライセンス発行の実績を記憶するライセンス実績記憶部をさらに備え、
前記更新情報提供部は、前記ライセンス実績記憶部を参照し、前記所定期間又は前記所定回数の残りが前記基準値より小さい前記電子書籍のライセンス発行の実績に関する情報を、前記選書担当者に提供する、
選書システム。
【請求項８】
請求項２〜７のいずれか一項に記載の選書システムであって、
前記購入要求は、前記電子書籍の前記ライセンスを自動更新する際の条件を含み、
前記ライセンス情報は、前記ライセンスを自動更新する際の前記条件を示す更新条件情報を含み、
前記ライセンス更新部は、前記更新条件情報に基づいて、前記電子書籍の前記ライセンスを自動更新する、
選書システム。
【請求項９】
請求項１〜８の何れか一項に記載の選書システムであって、
ライセンスの購入候補とする電子書籍を自動的に抽出するための条件である自動選書条件を記憶する自動選書条件記憶部と、
前記自動選書条件に基づいて、前記複数の電子書籍の中からライセンスの購入候補とする電子書籍を抽出する自動選書部と、
をさらに備える選書システム。
【発明の詳細な説明】
【技術分野】
【０００１】
本発明は、選書システムに関する。
【背景技術】
【０００２】
図書館に足を運ぶことなく様々な電子書籍にアクセスすることが可能な電子図書館システムが注目されている（例えば、非特許文献１）。
【先行技術文献】
【非特許文献】
【０００３】
【非特許文献１】株式会社日本電子図書館サービス、「実証実験」、［online］、［平成27年3月4日］、インターネット〈URL：http://www.jdls.co.jp/test.html〉
【発明の概要】
【発明が解決しようとする課題】
【０００４】
電子図書館システムでは、利用者に貸し出される電子書籍は、デジタル・コンテンツである。そのため、電子図書館システムの管理者が、電子図書館で提供する電子書籍を選書する際には、紙の書籍の際には不要であった、アクセス権の考慮が必要となる。
【０００５】
本発明はこのような事情に鑑みてなされたものであり、電子書籍のアクセス権を考慮した選書システムを提供することを目的とする。
【課題を解決するための手段】
【０００６】
本発明の一側面に係る選書システムは、複数の電子書籍に関する情報である電子書籍情報を記憶する電子書籍情報記憶部と、電子書籍情報記憶部を参照し、複数の電子書籍の少なくとも一部の電子書籍の電子書籍情報を、電子図書館システムの選書担当者に提供する電子書籍情報提供部と、少なくとも一部の電子書籍の中から選書担当者によって選択された電子書籍を、電子図書館システムの利用者に対して貸出すためのライセンスの購入要求を受け付けるライセンス購入受付部と、購入要求に応じて、同時貸出数が所定数であり、所定期間又は所定回数だけ選択された電子書籍を貸出し可能なライセンスである第１の形態のライセンスを電子図書館システムに対して発行するライセンス発行部と、ライセンスが発行された電子書籍のライセンスに関する情報であるライセンス情報を記憶するライセンス記憶部と、を備える。
【０００７】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されてもよい。
【発明の効果】
【０００８】
本発明によれば、電子書籍のアクセス権を考慮した選書システムを提供することが可能となる。
【図面の簡単な説明】
【０００９】
【図１】本発明の一実施形態である電子書籍システムの構成の一例を示す図である。
【図２】電子書籍情報の一例を示す図である。
【図３】ライセンス情報の一例を示す図である。
【図４】貸出実績の一例を示す図である。
【図５】予約情報の一例を示す図である。
【図６】ライセンス実績の一例を示す図である。
【図７】自動選書条件の一例を示す図である。
【図８】電子書籍のライセンスをカートに投入する際に表示される画面の一例である。
【図９】カートに投入されたライセンスの購入を確定させる際に表示される画面の一例である。
【図１０】ライセンスを更新する電子書籍を検索する際に表示される画面の一例である。
【図１１】ライセンスを更新する際に表示される画面の一例である。
【図１２】電子書籍のライセンスを新規購入する際の処理の一例を示すフローチャートである。
【図１３】電子書籍のライセンスを更新する際の処理の一例を示すフローチャートである。
【発明を実施するための形態】
【００１０】
以下、図面を参照して本発明の一実施形態について説明する。図１は、本発明の一実施形態である電子書籍システムの構成の一例を示す図である。図１に示すように、電子書籍システムは、電子図書館システム１０、利用者端末２０、選書者端末３０、及び選書システム４０を含む。
【００１１】
電子図書館システム１０は、電子書籍を利用者に貸し出すことができる情報処理システムである。本実施形態では、電子図書館システム１０により実現される仮想的な図書館を「電子図書館」ともいう。電子図書館システム１０は、電子書籍を記憶するデータベースサーバや、電子書籍の貸し出し処理を行うためのアプリケーションサーバ等の１台または複数台の情報処理装置を用いて構成される。電子図書館システム１０は、電子書籍に限らず、オーディオやビデオ等の様々な形式のデジタル・コンテンツを貸し出し可能であってもよい。なお、図１では、電子図書館システム１０は１つしか示されていないが、電子図書館システム１０は複数であってもよい。
【００１２】
利用者端末２０は、電子図書館システム１０を利用する際に用いる端末であり、例えば、パーソナルコンピュータやスマートフォン、タブレット端末等である。利用者端末２０は、ＬＡＮ（Local Area Network）やインターネット等のネットワークを介して電子図書館システム１０にアクセスすることができる。電子図書館システム１０の利用者は、利用者端末２０を用いて電子図書館システム１０にアクセスすることにより、様々な電子書籍を借りることが可能である。電子図書館システム１０から貸し出される電子書籍には、貸出期限が設定されている。利用者端末２０では、貸出期限内において、ウェブブラウザや閲覧ソフトウェア等を用いて電子書籍を表示することができる。なお、図１では、利用者端末２０は１つしか示されていないが、利用者端末２０は複数であってもよい。
【００１３】
選書者端末３０は、電子図書館システム１０で貸し出される電子書籍を選ぶ（選書する）担当者（選書担当者）が、選書の際に利用する端末であり、例えば、パーソナルコンピュータやスマートフォン、タブレット端末等である。選書者端末３０は、ＬＡＮ（Local Area Network）やインターネット等のネットワークを介して電子図書館システム１０及び選書システム４０にアクセスすることができる。なお、図１では、選書者端末３０は１つしか示されていないが、選書者端末３０は複数であってもよい。
【００１４】
選書システム４０は、選書担当者が選書を行う際に利用される情報処理システムである。選書システム４０は、電子書籍に関する情報を記憶するデータベースサーバや、電子書籍のライセンスを電子図書館システム１０に発行するためのアプリケーションサーバ等の１台または複数台の情報処理装置を用いて構成される。以下、選書システム４０の詳細について説明する。
【００１５】
図１に示すように、選書システム４０は、電子書籍情報記憶部１００、ライセンス記憶部１０５、貸出実績記憶部１１０、予約情報記憶部１１５、ライセンス実績記憶部１２０、自動選書条件記憶部１２２、電子書籍情報提供部１２５、ライセンス購入受付部１３０、自動選書部１３２、ライセンス発行部１３５、更新情報提供部１４０、ライセンス更新受付部１４５、ライセンス更新部１５０を含む。電子書籍情報記憶部１００、ライセンス記憶部１０５、貸出実績記憶部１１０、予約情報記憶部１１５、ライセンス実績記憶部１２０、及び自動選書条件記憶部１２２は、例えば、ハードディスクやメモリ等の記憶装置を用いて構成することができる。電子書籍情報提供部１２５、ライセンス購入受付部１３０、自動選書部１３２、ライセンス発行部１３５、更新情報提供部１４０、ライセンス更新受付部１４５、及びライセンス更新部１５０は、例えば、記憶装置に記憶されたプログラムをプロセッサが実行することにより実現することができる。
【００１６】
電子書籍情報記憶部１００は、複数の電子書籍に関する情報である電子書籍情報を記憶する。図２は、電子書籍情報の一例を示す図である。図２に示すように、電子書籍情報は、例えば、電子書籍ＩＤ（識別子）、ＩＳＢＮ（International Standard Book Number）、電子書籍のライセンスを電子図書館システム１０に発行する際の価格、及び発行可能なライセンス形態を含む。
【００１７】
電子書籍ＩＤは、選書システム４０において電子書籍を識別するための識別子である。ＩＳＢＮは、書籍を特定するために付与された世界共通の番号である。電子書籍に対応する紙の書籍（底本）が存在する場合は、紙の書籍のＩＳＢＮであってもよい。また、ＩＳＢＮを電子書籍ＩＤとして用いてもよい。
【００１８】
発行可能なライセンス形態としては、例えば、ワンコピー・ワンユーザ型、ワンコピー・マルチユーザ型、及び都度課金型がある。ワンコピー・ワンユーザ型は、同時貸出数が１であり、所定期間又は所定回数だけ電子書籍を貸出し可能なライセンス形態である。例えば、所定期間を２年間、所定回数を５２回とすると、ライセンス開始から２年が経過するか、貸出回数が５２回に達すると、ライセンスが失効する。ワンコピー・マルチユーザ型は、ワンコピー・ワンユーザ型における同時貸出数を複数としたライセンス形態である。ワンコピー・マルチユーザ型のライセンスは、例えば、学習教材として複数の生徒に同時に貸し出される電子書籍に用いることができる。都度課金型は、貸出しのたびに課金されるライセンス形態である。図２に示すように、電子書籍情報には、各電子書籍のライセンス形態及び当該ライセンス形態における価格が含まれる。
【００１９】
ライセンス記憶部１０５は、電子図書館システム１０に対して発行された電子書籍のライセンスに関する情報であるライセンス情報を記憶する。図３は、ライセンス情報の一例を示す図である。図３に示すように、ライセンス情報は、例えば、電子書籍ＩＤ、電子図書館ＩＤ、ライセンス形態、購入数、期限、残回数、及び更新条件を含む。
【００２０】
電子図書館ＩＤは、電子図書館システム１０を識別するための識別子である。購入数は、電子図書館システム１０に対して発行されたライセンス数（即ち、電子図書館が購入したライセンス数）である。例えば、ある電子書籍について、ワンコピー・ワンユーザ型のライセンスを１０個購入した場合、当該電子書籍を１０人の利用者に対して同時に貸し出すことが可能となる。期限は、ライセンスの期限、残回数は、貸出回数の残りを示す。
【００２１】
更新条件は、ライセンスを自動更新する際の条件に関する情報である。具体的には、ライセンスの失効条件（所定期間の経過又は所定回数の貸出し）が満たされた場合の自動更新の有無、及び、自動更新を行う場合のライセンス形態が設定される。また、更新条件は、自動更新の有無を判断する条件を含んでもよい。例えば、自動更新の有無を判断する条件としては、所定回数（例えば５２回）の貸出しに要した期間や、予約残数、他の電子図書館へのライセンス販売状況等を含むことができる。
【００２２】
貸出実績記憶部１１０は、電子図書館システム１０における電子書籍の貸出実績を記憶する。なお、貸出実績記憶部１１０は、電子図書館システム１０における貸出実績を常に記憶しておく必要はなく、必要に応じて、電子図書館システム１０から貸出実績を取得することができる。図４は、貸出実績の一例を示す図である。図４に示すように、貸出実績は、例えば、電子図書館ＩＤ、電子書籍ＩＤ、利用者ＩＤ、及び貸出日時を含む。利用者ＩＤは、電子図書館システム１０の利用者の識別子である。
【００２３】
予約情報記憶部１１５は、電子図書館システム１０における電子書籍の予約情報を記憶する。なお、予約情報記憶部１１５は、電子図書館システム１０における予約情報を常に記憶しておく必要はなく、必要に応じて、電子図書館システム１０から予約情報を取得することができる。図５は、予約情報の一例を示す図である。図５に示すように、予約情報は、例えば、電子図書館ＩＤ、電子書籍ＩＤ、利用者ＩＤ、及び予約日時を含む。
【００２４】
ライセンス実績記憶部１２０は、複数の電子図書館システム１０に対する電子書籍のライセンス発行の実績であるライセンス実績を記憶する。図６は、ライセンス実績の一例を示す図である。図６に示すように、ライセンス実績は、例えば、電子書籍ＩＤ、電子図書館ＩＤ、ライセンス発行日時、ライセンス形態、及び発行区分を含む。発行区分は、ライセンスが新規に発行されたのか、更新されたのかを示す情報である。
【００２５】
自動選書条件記憶部１２２は、ライセンスの購入候補とする電子書籍を自動的に抽出するための条件である自動選書条件を記憶する。図７は、自動選書条件の一例を示す図である。図７に示すように、自動選書条件は、例えば、貸出回数考慮、キーワード、著者名、出版社等の条件を含む。貸出回数考慮は、例えば、他の電子図書館での貸出回数の合計が所定数以上である電子書籍や、貸出回数の合計が所定順位内の電子書籍を自動選書の対象とするものである。なお、図７に示した自動選書条件の項目は一例であり、その他様々な自動選書条件を採用することができる。例えば、自動選書条件として、ライセンスの価格や、ライセンスの購入状況等を含むことができる。また、自動選書条件は、当該条件に基づく自動選書の詳細を指定する情報を含むことができる。例えば、自動選書条件は、自動選書の詳細を指定する情報として、購入ライセンス数や、購入金額の条件等を含むことができる。選書システム４０では、例えば、選書者端末３０から自動選書条件を受け付けて、自動選書条件記憶部１２２に格納することができる。
【００２６】
電子書籍情報提供部１２５は、電子書籍情報記憶部１００を参照し、複数の電子書籍の少なくとも一部の電子書籍の電子書籍情報を、電子図書館システム１０の選書担当者に提供することができる。
【００２７】
ライセンス購入受付部１３０は、電子書籍情報提供部１２５により提供された電子書籍情報に基づいて選書担当者が選択した電子書籍を、電子図書館システム１０の利用者に対して貸出すためのライセンスの購入要求を受け付ける。
【００２８】
図８は、電子書籍のライセンスをカートに投入する際に表示される画面の一例である。図８に示す画面は、選書担当者が選書を行うために、選書者端末３０を用いて選書システム４０にアクセスした際に、ライセンス購入受付部１３０により表示される。図８に示す画面は、例えば、選書者端末３０のウェブブラウザ上に表示されてもよいし、選書システム４０用のアプリケーションで表示されてもよい。
【００２９】
図８に示すように、ライセンス購入受付部１３０は、電子書籍情報提供部１２５により提供される電子書籍情報が表示された画面を表示することができる。選書の対象となる電子書籍は、電子書籍情報提供部１２５が、例えば、選書者端末３０から受け付けた条件（タイトルや著者名、発売日等）に基づいて、電子書籍情報記憶部１００内を検索することにより抽出することができる。図８に示す画面には、タイトル、著者名、出版社、価格、購入数、及び更新条件が含まれる。なお、図８に示す画面は、購入時のライセンス形態を選択するためのインタフェースを含まない。これは、本実施形態では、初回購入時はワンユーザ・ワンコピー型でのライセンス発行を前提としているためである。初回購入時もライセンス形態を選択可能とする場合は、ライセンス形態を選択するためのインタフェースを設ければよい。図８に示す画面において、ライセンスの購入を希望する電子書籍について、購入数や更新条件が選択され、「カートへ投入」ボタンが押下されると、当該電子書籍のライセンスの購入要求がカートへ投入される。
【００３０】
自動選書部１３２は、自動選書条件記憶部１２２に記憶されている自動選書条件に基づいて、電子書籍情報記憶部１００を検索し、自動選書条件に合致する電子書籍をライセンスの購入候補として抽出し、カートに投入する。自動選書が実行されるタイミングは、自動選書条件で指定されていてもよいし、毎月や毎週、あるいは選書者端末３０から選書システム４０へのアクセス時等の所定のタイミングであってもよい。
【００３１】
図９は、カートに投入されたライセンスの購入を確定させる際に表示される画面の一例である。図９に示すように、選書者端末３０では、カートに投入されたライセンスを確認することができる。カートには、選書担当者が図７に示す画面で選書した電子書籍のライセンスに加えて、自動選書部１３２により自動選書された電子書籍のライセンスが格納されている。図９に示す画面において、「購入」ボタンが押下されると、カートに投入された電子書籍のライセンスの購入要求が選書者端末３０から選書システム４０に送信され、ライセンス購入受付部１３０により受け付けられる。なお、ライセンスの購入を確定させる前に、必要に応じて、上長による承認が行われることとしてもよい。
【００３２】
ライセンス発行部１３５は、ライセンス購入受付部１３０が受け付けた購入要求に応じて、選択された電子書籍について、同時貸出数が１であり、所定期間（例えば２年間）又は所定回数（例えば５２回）だけ貸出し可能なワンコピー・ワンユーザ型のライセンスを電子図書館システム１０に対して発行する。即ち、発行されたライセンスの情報は、電子図書館システム１０に送信される。これにより、電子図書館システム１０では、当該ライセンスに基づいて、電子書籍の貸出しが可能となる。また、ライセンス発行部１３５は、発行したライセンスのライセンス情報を、ライセンス記憶部１０５に格納する。なお、本実施形態では、ライセンスの新規購入時にはワンコピー・ワンユーザ型のライセンスが発行されることとしたが、新規購入時に発行されるライセンスの形態はこれに限られない。例えば、新規購入時に、ワンコピー・マルチユーザ型や都度課金型のライセンスが発行されることとしてもよい。
【００３３】
更新情報提供部１４０は、電子書籍情報記憶部１００及びライセンス記憶部１０５を参照し、ライセンスが発行されている電子書籍のうち、ライセンスの失効が近い電子書籍の電子書籍情報を、電子図書館システム１０の選書担当者に提供することができる。例えば、更新情報提供部１４０は、ワンコピー・ワンユーザ型のライセンスの所定期間（例えば２年間）又は所定回数（例えば５２回）の残りが基準値より小さい電子書籍の電子書籍情報を、選書担当者に提供することができる。
【００３４】
図１０は、ライセンスを更新する電子書籍を検索する際に表示される画面の一例である。図１０に示す画面は、選書担当者がライセンスの更新を行うために、選書者端末３０を用いて選書システム４０にアクセスした際に、更新情報提供部１４０により表示される。図８に示す画面は、例えば、選書者端末３０のウェブブラウザ上に表示されてもよいし、選書システム４０用のアプリケーションで表示されてもよい。
【００３５】
図１０に示すように、更新情報提供部１４０は、例えば、ＩＳＢＮやタイトル、著者名、出版社等、電子書籍を特定するための情報を受け付けることができる。また、更新情報提供部１４０は、ライセンスの期限や形態に関する情報を受け付けることができる。具体的には、更新情報提供部１４０は、例えば、ライセンスが期限内であるか、期限切れであるか、期限内である場合は残り何日以内であるかを指定する情報を受け付けることができる。また、更新情報提供部１４０は、例えば、貸出回数の残りが何回以下であるかを指定する情報を受け付けることができる。更新情報提供部１４０は、受け付けた条件に合致するライセンスをライセンス記憶部１０５から抽出することができる。抽出されたライセンスに関する情報は、後述する図１１に示す画面によって選書担当者に提供される。
【００３６】
ライセンス更新受付部１４５は、選書者端末３０から、電子書籍のライセンスの更新要求を受け付ける。当該更新要求では、更新時のライセンスの形態を選択することができる。即ち、新規購入時にワンコピー・ワンユーザ型のライセンスが発行された電子書籍について、更新時には、例えば都度課金型のライセンスを選択することが可能である。
【００３７】
図１１は、ライセンスを更新する際に表示される画面の一例である。図１０に示す画面での検索結果に基づいて、ライセンス更新受付部１４５により表示される。図１１に示す画面は、例えば、選書者端末３０のウェブブラウザ上に表示されてもよいし、選書システム４０用のアプリケーションで表示されてもよい。
【００３８】
図１１に示すように、ライセンスの更新画面には、タイトルや著者名、出版社、価格等の情報が表示される。これらの情報は、更新情報提供部１４０により提供されたものである。また、ライセンスの更新画面には、実績情報が表示される。実績情報には、ライセンスを更新しようとしている電子図書館システム１０における貸出実績に関する情報や、複数の電子図書館システム１０に対するライセンス発行の実績に関する情報が含まれる。貸出実績に関する情報には、例えば、貸出回数や予約残数が含まれる。ライセンス発行の実績に関する情報には、例えば、ライセンスを発行した電子図書館システム１０の数（販売数）が含まれる。
【００３９】
また、図１１に示すように、ライセンスの更新画面には、更新時のライセンス形態を選択するためのインタフェースが含まれる。図１１に示す画面において、ライセンスの更新を希望する電子書籍について、ライセンス形態が選択され、「カートへ投入」ボタンが押下されると、当該電子書籍のライセンスの更新要求がカートへ投入される。その後、必要に応じて、上長による承認処理等を経て、ライセンスの更新要求が選書システム４０に送信され、ライセンス更新受付部１４５により受け付けられる。
【００４０】
ライセンス更新部１５０は、ライセンス更新受付部１４５が受け付けた更新要求に応じて、電子書籍のライセンスを更新する。そして、ライセンス更新部１５０は、更新したライセンスのライセンス情報を、ライセンス記憶部１０５に格納する。また、ライセンス更新部１５０は、ライセンスの新規購入時に受け付けられた更新条件に基づいて、ライセンスを自動更新することもできる。
【００４１】
図１２は、電子書籍のライセンスを新規購入する際の処理の一例を示すフローチャートである。電子書籍情報提供部１２５は、選書者端末３０から、電子書籍の検索要求を受け付ける（Ｓ１２０１）。電子書籍情報提供部１２５は、電子書籍情報記憶部１００内を検索し、検索条件に合致する電子書籍の情報を、例えば図８に示した画面により選書者端末３０に提示する（Ｓ１２０２）。ライセンス購入受付部１３０は、例えば図８に示した画面で選択された電子書籍のライセンスの購入要求を選書者端末３０から受け付ける（Ｓ１２０３）。ライセンス発行部１３５は、購入要求に応じてライセンスを発行し、当該ライセンスに関する情報を電子図書館システム１０に送信する（Ｓ１２０４）。また、ライセンス発行部１３５は、当該ライセンスのライセンス情報をライセンス記憶部１０５に記憶する（Ｓ１２０５）。
【００４２】
図１３は、電子書籍のライセンスを更新する際の処理の一例を示すフローチャートである。更新情報提供部１４０は、発行済みのライセンスの検索要求を、例えば図１０に示した画面により選書者端末３０から受け付ける（Ｓ１３０１）。更新情報提供部１４０は、ライセンス記憶部１０５内を検索し、検索条件に合致するライセンスの情報を、例えば図１１に示した画面により選書者端末３０に提示する（Ｓ１３０２）。ライセンス更新受付部１４５は、例えば図１１に示した画面で選択された電子書籍のライセンスの更新要求を選書者端末３０から受け付ける（Ｓ１３０３）。ライセンス更新部１５０は、更新要求に応じてライセンスを更新し、当該ライセンスに関する情報を電子図書館システム１０に送信する（Ｓ１３０４）。また、ライセンス更新部１５０は、当該ライセンスのライセンス情報をライセンス記憶部１０５に記憶する（Ｓ１３０５）。
【００４３】
以上、本実施形態の選書システム４０について説明した。選書システム４０によれば、電子書籍のライセンスの新規購入時に、同時貸出数が所定数（１又は複数）であり、所定期間又は所定回数だけ電子書籍を貸出し可能な形態（ワンコピー・ワンユーザ型又はワンコピー・マルチユーザ型）のライセンスを電子図書館システム１０に対して発行することができる。このように、電子書籍のアクセス権を考慮した選書システム４０を提供することができる。
【００４４】
また、選書システム４０によれば、ライセンスの更新時に、選書担当者から受け付けたライセンス形態により、ライセンスを更新することができる。即ち、新規購入時のライセンス形態とは異なるライセンス形態でライセンスを更新することもできる。
【００４５】
また、選書システム４０によれば、ライセンスの所定期間又は所定回数の残りが基準値より小さい電子書籍の電子書籍情報を選書担当者に提供することができる。これにより、選書担当者は、更新対象のライセンスを容易に抽出することができる。なお、このようにライセンスの失効が近い電子書籍の電子書籍情報は、例えば、選書担当者が電子図書館システム１０にアクセスする際のトップ画面やお知らせ画面等に表示されてもよい。
【００４６】
また、選書システム４０によれば、例えば図１０の画面で例示したように、更新対象のライセンスを検索する際の基準値（ライセンスの残日数や残貸出回数等）を選書担当者から受け付けることができる。これにより、選書担当者は、更新対象のライセンスを容易に抽出することができる。
【００４７】
また、選書システム４０によれば、ライセンスを更新する際の参考情報として、電子図書館システム１０における貸出実績に関する情報を選書担当者に提供することができる。これにより、選書担当者は、貸出実績を参考に、更新の有無や、更新する際のライセンス形態を判断することができる。
【００４８】
また、選書システム４０によれば、ライセンスを更新する際の参考情報として、電子図書館システム１０における予約に関する情報を選書担当者に提供することができる。これにより、選書担当者は、予約に関する情報を参考に、更新の有無や、更新する際のライセンス形態を判断することができる。
【００４９】
また、選書システム４０によれば、ライセンスを更新する際の参考情報として、複数の電子図書館システム１０に対するライセンスの発行実績に関する情報を選書担当者に提供することができる。これにより、選書担当者は、ライセンスの発行実績を参考に、更新の有無や、更新する際のライセンス形態を判断することができる。
【００５０】
また、選書システム４０によれば、ライセンスの新規購入時に指定された条件に基づいて、ライセンスを自動更新することができる。これにより、電子図書館システム１０におけるライセンス管理が容易となる。
【００５１】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【符号の説明】
【００５２】
１０  電子図書館システム
２０  利用者端末
３０  選書者端末
４０  選書システム
１００  電子書籍情報記憶部
１０５  ライセンス記憶部
１１０  貸出実績記憶部
１１５  予約情報記憶部
１２０  ライセンス実績記憶部
１２２  自動選書条件記憶部
１２５  電子書籍情報提供部
１３０  ライセンス購入受付部
１３２  自動選書部
１３５  ライセンス発行部
１４０  更新情報提供部
１４５  ライセンス更新受付部
１５０  ライセンス更新部
【図１】
2016181046.tif 000003
【図２】
2016181046.tif 000004
【図３】
2016181046.tif 000005
【図４】
2016181046.tif 000006
【図５】
2016181046.tif 000007
【図６】
2016181046.tif 000008
【図７】
2016181046.tif 000009
【図８】
2016181046.tif 000010
【図９】
2016181046.tif 000011
【図１０】
2016181046.tif 000012
【図１１】
2016181046.tif 000013
【図１２】
2016181046.tif 000014
【図１３】
2016181046.tif 000015